(57)【特許請求の範囲】
【請求項１】
左右方向に延びるコ字状断面形状のレール部の内面に取り付けて使用する掛止具であって、
該レール部の上板内面に当接する上部係止片及び下板内面に当接する下部係止片を備え、該上部係止片と下部係止片の間であって、前後方向に貫通する貫通孔を備える取付け部材と、
該取付け部材に取り付けられるタオル等を吊り下げる掛止部材と、
該貫通孔に前後方向移動自在に取り付けられ前後方向に延出する突状部を備えると共に、掛止具が該レール部にロックされた状態において、該突起部が該下部係止片の上面に当接又は近接して該下部係止片の上方への撓みを規制するストッパー部材と、を有することを特徴とする掛止具。
【請求項２】
該レール部を形成する下板部材の前方且つ内面には左右方向に延出する上方に突状のガイド部が形成され、該下部係止片は該ガイド部と係合する凹部を備えるものであることを特徴とする請求項１記載の掛止具。
【請求項３】
掛止具が該レール部にロックされた状態において、該突状部の先端が、該レール部のガイド部より奥側に位置することを特徴とする請求項２記載の掛止具。
【請求項４】
該取付け部材の上部係止片の上面に、摩擦材を更に付設したことを特徴とする請求項１〜３のいずれか１項に記載の掛止具。
【発明の詳細な説明】
【技術分野】
【０００１】
本発明は、例えばキッチン台の前面の引手レール部に取付けて使用するタオル等を掛ける掛止具に関するものである。
【背景技術】
【０００２】
特開２００７−６５０号公報には、上方に掛止具が設けられた収納部を有するキッチン台等の収納家具であって、前記掛止具は収納家具前面上部に設けた収納家具の前面幅に渡って設けられたレール部にスライド自在に係止されている掛止具を有するキッチン台等の収納家具（請求項１、請求項４）が記載されている。この収納家具によれば、掛止具をキッチン台等の前面上部に設けたレール部に沿ってスライドさせることにより、掛止具に掛けられた長尺物等が移動できるので、いつでも収納部の開閉位置から長尺物等を待機させることができる。
【特許文献１】特開２００７−６５０号公報（特許請求の範囲）
【発明の開示】
【発明が解決しようとする課題】
【０００３】
しかしながら、特開２００７−６５０号公報に記載の掛止具は、レール部に沿ってスライド移動自在であるため、エンドキャップが無い場合には、掛止具がレール部から脱落する恐れがあり、使用上の不都合を生じることがある。一方、掛止具がレール部から脱落することを防止するには、エンドキャップを付設することになるが、これでは、エンドキャップという余分のパーツが必要となる。また、実際には、むしろ掛止具をキッチン台等の前面上部に設けたレール部にスライド不能として固定する方が、掛止具に掛けられたタオル等が使用し易い。また、固定された掛止具は、レール部や掛止具を清掃等行なう際は、取り付けた位置において、簡単に外れる構造のものが好ましい。
【０００４】
従って、本発明の目的は、キッチン台等の前面上部に設けたレール部にスライド不能に取り付けられると共に、着脱操作が容易な掛止具を提供することにある。
【課題を解決するための手段】
【０００５】
すなわち、本発明は上記従来の課題を解決したものであって、左右方向に延びるコ字状断面形状のレール部の内面に取り付けて使用する掛止具であって、該レール部の上板内面に当接する上部係止片及び下板内面に当接する下部係止片を備え、該上部係止片と下部係止片の間であって、前後方向に貫通する貫通孔を備える取付け部材と、該取付け部材に取り付けられるタオル等を吊り下げる掛止部材と、該貫通孔に前後方向移動自在に取り付けられ前後方向に延出する突状部を備えると共に、掛止具が該レール部にロックされた状態において、該突起部が該下部係止片の上面に当接又は近接して該下部係止片の上方への撓みを規制するストッパー部材と、を有することを特徴とする掛止具を提供するものである。
【発明の効果】
【０００６】
本発明によれば、キッチン台等の前面に設けたレール部にスライド不能に取り付けられ、吊り下げられたタオル等の使い勝手がよい。また、レール部への取付け及びレール部からの取り外しの操作がそれぞれ容易である。
【発明を実施するための最良の形態】
【０００７】
次に本発明の実施の形態における掛止具を図１〜図１３を参照して説明する。図１は本例の掛止具をレール部に取り付ける前の状態の斜視図、図２は図１の掛止具を裏面から見た斜視図、図３は本例のストッパー部材がロック状態にある掛止具の斜視図、図４は図３の掛止具の裏面から見た斜視図、図５は本例の掛止具の分解斜視図、図６は本例の掛止具の裏面から見た分解斜視図、図７は本例の掛止具で使用する一部の部材を破断して示す上部係止片付き固定支持部材の斜視図、図８は図７の部材にストッパー部材を組み付けた斜視図、図９は図８の部材に下部係止付き固定支持部材を組み付けた斜視図、図１０は本例の掛止具をレール部に取り付けたアンロック状態の斜視図、図１１は図１０のＸ−Ｘ線に沿って見た図、図１２は本例の掛止具をレール部に取り付けたロック状態の斜視図、図１３は図１２のＹ−Ｙ線に沿って見た図をそれぞれ示す。なお、図７〜図９においては、内部構造を明確に示すため、本来存在する上部係止片１１の記載を省略してあり、その破断面にはハッチングを施した。本明細書中、使用者側が前方、その反対側が後方であり、左右方向は、使用者側から見た方向を言う。
【０００８】
掛止具１０は、左右方向に延びるコ字状断面形状のレール部４の内面に取り付けて使用する掛止具であって、レール部４の上板内面４１に当接する上部係止片１１及び下板内面４３に当接する下部係止片１２を備え、上部係止片１１と下部係止片１２の間であって、前後方向に貫通する貫通孔５を備える取付け部材１と、取付け部材１に取り付けられるタオル等を吊り下げる掛止部材２と、貫通孔５に前後方向移動自在に取り付けられ前後方向に延出する突起部３１を備えると共に、掛止具１０がレール部４にロックされた状態において、突起部３１が下部係止片１２の上面に当接又は近接して下部係止片１２の上方への撓みを規制するストッパー部材３と、を有するものである。
【０００９】
掛止具１０を構成する部材は、本例では図５及び図６に示すように、カバーケース１３、ガイドカバー１４、掛止部材２、上部係止片付き固定支持部材（以下、単に「上部係止片部材」と言う。）１１ａ、ストッパー部材３、丸棒状である軸部材６、下部係止片付き固定支持部材（以下、単に「下部係止片部材」と言う。）１２ａである。なお、符号ａ、ｂはビスである。本発明において、取付け部材１は上部係止片部材１１ａ及び下部係止片部材１２ａの組み付け体を言い、本例では更にカバーケース１３とガイドカバー１４を組み込んだものである。
【００１０】
カバーケース１３は、上部係止片部材１１ａや下部係止片部材１２ａ等の内部構成部品を外側から見えないように隠すとともに、意匠性を保持するために使用されるものであり、前方貫通孔５ａを有する前面部材１３２と側方切り込み孔１３１を有する左右の側面部材１３３からなる中空のケースである。前方貫通孔５ａはストッパー部材３が出入りする空間であり、側方切り込み孔１３１は掛止部材２の上部丸棒部材が挿通すると共に、上部係止片部材１１ａが嵌合する孔である。すなわち、カバーケース１３は、掛止部材２の上部丸棒部材の第１縮径部２１の外側端（段差２３）までをカバーすることで、丸棒部材との隙間を生じさせないようにしている。また、上部係止片部材１１ａと一体となって、通常の使用状態で作用する外力では外れることがない嵌合を具現する。
【００１１】
ガイドカバー１４は、上部係止片部材１１ａにビスａでビス止めされるもので、上部係止片部材１１ａとガイドカバー１４間で、掛止部材２の上部丸棒部材の第１縮径部２１を支持するものである。ガイドカバー１４は、薄板を屈曲させたものであって、上部後方係止片１４３と、前方に突の丸み状屈曲部１４４と、ビス孔１４１ａを有する下方係止片１４１とからなる。上部後方係止片１４３と丸み状屈曲部１４４との角部には貫通孔１４２を形成して、上部係止片部材１１ａの上部天板部１１１の突起が嵌るようになっている。ガイドカバー１４を使用することで、掛止部材２を正しい位置にセットできると共に、掛止部材２の回動移動が円滑となり使い勝手がよくなる。
【００１２】
掛止部材２は、左右方向の長さが長く、上下方向の長さが左右方向の長さより短い四角状リングである。掛止部材２のリングの断面形状は円形断面あるいは楕円形断面であるが、上部部材は円形断面である。上部部材を円形断面とすることで、ガイドカバー１４と上部係止片部材１１ａで行なう掛止部材２の支持が安定する。また、上部部材の中央部は、中心に位置する第２縮径部２２と、その両側に位置する第１縮径部２１とからなっている。第２縮径部２２は両側の第１縮径部２１により溝を形成することになり、この溝に上部係止片部材１１ａの縦状突起１１４が入り込むことで、掛止部材２が左右方向に移動することがなくなる。また、第１縮径部２１を形成することにより、第１縮径部２１と上部部材の径との間に段差２３が生じ、第１縮径部２１の段差２３までカバーケース１３で覆うため、段差２３が隙間を塞ぎ意匠性が高まる。
【００１３】
上部係止片部材１１ａは上部係止片１１を形成し、掛止部材２を支持し、軸部材６を支持し、更に下部係止片部材１２ａを固定する機能を奏するものである。上部係止片部材１１ａは、所定の厚みを有すると共に、左右方向の中央部で且つ上下方向の中央から下方部に貫通孔５ｂを形成する中央略縦板状体１９２と略縦板状体１９２の後方面中央から斜め上方に延出する上部係止片１１からなる。
【００１４】
略縦板状体１９２はカバーケース１３の側面切り込み孔１３１に嵌合する両側突起１９１を有し、下方両側脚部１１６の外側面には、カバーケース１３との嵌合強度を高める縦状突起１１７を有している。略縦板状体１９２の天板部１１１の後方にはガイドカバー１４の上部の貫通孔１４２に嵌る突起５１３を形成している。略縦板状体１９２の前面は図５に示すように、掛止部材２を支持する凹面部１１２を前面上方部に、ガイドカバー１４を固定するビスａが螺合するビス孔１１５をその下方両側に形成している。
【００１５】
略縦板状体１９２の後面は図７〜図９に示すように、突起１９３を天板部１１１の後方中央に垂下する形状で、また、下部係止片部材１２ａを固定するビスｂが螺合するビス孔５１１を中央両側に、ストッパー部材３を遊嵌状態で支持する軸部材６が嵌る左右方向に延出する横溝５１２をその下方にそれぞれ形成している。
【００１６】
上部係止片１１は、左右両側から斜め上方に延びる両腕部１９５と両腕部１９５の先端間に橋渡しされる上部係止片本体１１９とからなる。上部係止片本体１１９の天面には摩擦材８が付設される凹部が形成されている。摩擦材８を付設することで、摩擦材８とレール部の上板内面４１との当接が強くなり、レール部４に対して掛止具１０がスライドしないようにしている。上部係止片部材１１ａは剛性を有し、外力を与えても変形しない材料で形成されている。摩擦材８は任意の構成要素である。
【００１７】
ストッパー部材３は、前後方向に延びる突状部３１と、突状部３１の先端側から後方斜め下方に延びる摘まみ部３５からなる。摘まみ部３５には、指の係りがよいように段差３４を設けている。また、突状部３１には前後方向に延びる左右方向に貫通する貫通孔３３を設けている。この貫通孔３３は軸部材６の前後移動をガイドすると共に、前後方向のストローク（移動範囲）を決定している。なお、突状部３１と摘まみ部３５で形成される内角を構成する摘まみ部３５の後壁面３６はストッパー部材３を押し込む（ロック操作）ことで、下部係止片部材１２ａの縦壁状部１２１の前面に当接するが、この際、突状部３１の先端（後方端）が、レール部４の下板４３の内面前方の突状のガイド部４５より奥側（後方側）に位置するようになっている（図１１参照）。また、突状部３１の先端側裏面には左右方向に延びる係止溝（不図示）がきられている。この係止溝はロック状態において、下部係止片部材１２ａの横状突起１２４と係合するため、ロック操作の際、クリック感を体感できる。
【００１８】
丸棒状の軸部材６はストッパー部材３を支持するものであり、ストッパー部材３の貫通孔３３に挿通されると共に、貫通孔３３からはみ出した両側部分が上部係止片部材１１ａの長溝５１２に収容される。
【００１９】
下部係止片部材１２ａは、上部係止片部材１１ａに組み付けられ、下部係止片１２を形成するものである。縦壁状部１２１と、縦壁状部１２１の下部から後方へ延びる下部係止片１２と、縦壁状部１２１の下部から後方へ延びる先端側がやや上方にそり上がった係合補助片１６３を有している。縦壁状部１２１には図６に示すように、ビスｂが螺合するビス孔１６２を中央両側に、ストッパー部材３の突状部３１が挿通する貫通孔５ｃをその下方にそれぞれ形成している。係合補助片１６３は、下部係止片部材１２ａが上部係止片部材１１ａに組み付けられた際、上部係止片部材１１ａの前面下方に当接し、上部係止片部材１１ａを抱き込むような支持をする。
【００２０】
下部係止片１２の基端側（縦壁状部１２１との接続部）の厚みは１ｍｍ〜１．５ｍｍと薄くし、また、下部係止片１２を含む下部係止片部材１２ａの材質をポリアサタールとすることにより、上部係止片本体１１９の剛性よりも弱くし、下部係止片１２が所定の外力以上の力の作用により若干上方（内側）へ撓む強度としている。所定の外力以上の力とは、アンロック状態において、掛止具１０をレール部４から取り外す引張り力あるいはレール部４に取り付ける際の押し込み力を言う。下部係止片１２の先端側の裏面は、下部係止片１２の基端側の厚みより厚みのある突部１６１としている。これにより、突部１６１の基端側が凹部形状となり、下板内面４３で且つ前方で左右方向に延出する上方に突状のガイド部４５が形成されたレール部４に取り付ける際、下部係止片１２の凹部がガイド部４５と好適に係合することになる。  
【００２１】
次ぎに、上記部材を組み付けて掛止具１０を得る方法を説明する。先ず、上部係止片部材１１ａ、ストッパー部材３及び下部係止片部材１２ａを組み付ける。すなわち、ストッパー部材３の貫通孔３３に軸部材６を挿入する。貫通孔３３に軸部材６が挿入されたストッパー部材３を、上部係止片部材１１ａの後方側から近づけ、軸部材６が上部係止片部材１１ａの横溝５１２に嵌るように組み付ける（図７及び図８）。次いで、ストッパー部材３が組み込まれた上部係止片部材１１ａに、下部係止片部材１２ａをビスｂにより組み付ける（図９）。なお、上部係止片本体１１９の天面に摩擦材８を付設する時期は、如何なる時点であってもよい。
【００２２】
掛止部材２にはカバーガイド１４を嵌め込み、カバーガイド１４付き掛止部材２を作っておく、次いで上記方法で得られた組付け体１１Ａに、カバーガイド１４付き掛止部材２を組み付ける。すなわち、組付け体１１Ａの前側の凹面部１１２に掛止部材２の上部丸棒部材を当接させ、位置決めをしてビスａにより固定する。次いで、この組み付け体にカバーケース１３を嵌め込み、掛止具１０を形成する。
【００２３】
このようにして得られた掛止具１０をレール部４に取り付ける。この際、ストッパー３は手前に引張り、アンロックの状態にしておく。取り付けは、掛止具１０をレール部４への装着が容易となるようにやや傾斜させて上部係止片１１をレール部４の上面部材４１に当接させ、次いで、掛止具１０をほぼ水平に戻しつつ、後方側（奥側）へ押し込む。アンロック状態の下部係止片１２は、上方へ若干撓みつつ、レール部４のガイド部４５を乗り越えて下板内面４３に当接する（図１１）。アンロック状態において、下部係止片１２の上方にはストッパー部材３が存在しないため、掛止具１０を後方側へ押し込むことで、下部係止片１２は上方へ僅かに撓んで変形し、ガイド部４５を乗り越えた後は、復元して元の形状に戻りレール部４と好適に係合することができる（図１０）。
【００２４】
次いで、掛止具１０をロック状態にする。掛止具１０のロックは、ストッパー部材３を後方側へ押し込むことで達成できる。ストッパー部材３は丸棒部材６により前後方向移動自在に支持され、摘まみ部３５の後壁面３６が下部係止片部材１２ａの縦壁状部１２１の前面に当接するまでは障害物はなく、軽く押し込むことでロックは完了する。また、ロックの完了は下部係止片部材１２ａの突起１２４と突状部の溝とが係合するクリック感でも体感することができる。ロック状態において、突状部３１の先端（Ｚ２）はレール部４のガイド部（Ｚ１）４５より奥側に位置することになり、下部係止片１２の上方への撓み変形を規制する。これにより、例えば掛止具１０を手前に引いて外そうとしても、下部係止片１２は変形できず、外れない。上部係止片１１は剛性部材であり、変形することはない。従って、掛止具１０はレール部４にスライド移動不能に固定されることになる。
【００２５】
本発明において、レール部４としては、キッチン台の前面の引手レール部、あるいは収納家具の前面の引手レール部などが挙げられる。従って、本発明の掛止具は既存のレール部に取り付けてもよく、新品のキッチン台又は収納家具に予めセットとして組み込まれたものであってもよい。また、本発明の掛止具に吊り下げられる物としては、タオル及びそれ以外の吊り下げものが挙げられる。
【００２６】
本発明において、取付け部材の一例としては、該レール部の上板内面に当接する上部係止片１１と、該上部係止片１１の下方に形成した第１貫通孔５ｂと、該第１貫通孔５ｂを横断する左右方向に延びる凹状の横溝５１２を有する上部係止片部材１１ａ、及び下板内面に当接する下部係止片と、該下部係止片の上方に形成した第２貫通孔を有する下部係止片部材１２ａを、両係止片が前後方向における同じ方向となるように、且つ第１貫通孔と第２貫通孔５ｃを一致させ、前後方向に貫通するストッパー部材が通る貫通孔とするように組み付けた組み付け体である。
【図面の簡単な説明】
【００２７】
【図１】本発明の実施の形態における掛止具をレール部に取り付ける前の状態の斜視図である。
【図２】図１の掛止具を裏面から見た斜視図である。
【図３】本例のストッパー部材がロック状態にある掛止具の斜視図である。
【図４】図３の掛止具の裏面から見た斜視図である。
【図５】本例の掛止具の分解斜視図である。
【図６】本例の掛止具の裏面から見た分解斜視図である。
【図７】本例の掛止具で使用する一部の部材を破断して示す上部係止片付き固定支持部材の斜視図である。
【図８】図７の部材にストッパー部材を組み付けた斜視図である。
【図９】図８の部材に下部係止付き固定支持部材を組み付けた斜視図である。
【図１０】本例の掛止具をレール部に取り付けたアンロック状態の斜視図である。
【図１１】図１０のＸ−Ｘ線に沿って見た図である。
【図１２】本例の掛止具をレール部に取り付けたロック状態の斜視図である。
【図１３】図１２のＹ−Ｙ線に沿って見た図である。
【符号の説明】
【００２８】
１      取付け部材
２      掛止部材
３      ストッパー部材
４      レール部
５、５ａ〜５ｃ    貫通孔
１０      掛止具
１１      上部係止片
１２      下部係止片
１１ａ    上部係止片付き固定支持部材（上部係止片部材）
１２ａ    下部係止片付き固定支持部材（下部係止片部材）
１３      カバーケース
１４      ガイドカバー
【図１】
0005021445.tif 000002
【図２】
0005021445.tif 000003
【図３】
0005021445.tif 000004
【図４】
0005021445.tif 000005
【図５】
0005021445.tif 000006
【図６】
0005021445.tif 000007
【図７】
0005021445.tif 000008
【図８】
0005021445.tif 000009
【図９】
0005021445.tif 000010
【図１０】
0005021445.tif 000011
【図１１】
0005021445.tif 000012
【図１２】
0005021445.tif 000013
【図１３】
0005021445.tif 000014